(57)【要約】【課題】眼圧測定が正常になされたかどうかを容易に判断できる非接触眼圧計を得る。【解決手段】ステップＳ１で眼圧測定が行われると、ステップＳ２で圧力信号、受光信号の取込処理が行われる。ステップＳ３で測定値が得られたと判断されるとステップＳ４に移り、眼圧値がモニタに表示される。測定値が得られなかったと判断されると、ステップＳ５でメモリ領域に画像を移す処理が行われる。ステップＳ６で角膜輝点の抽出がなされたかどうかが判断され、抽出できなかった場合は１つ前の画像から輝点抽出の確認を行い、瞬きがあったと判断されるとステップＳ７に移行する。ステップＳ７では、ＢＬＫの文字を発生させリアルタイム映像信号に混合してＢＬＩＮＫエラーを表示する。【選択図】　　　　図７
2004105368.tif 000002
【特許請求の範囲】
【請求項１】
角膜に空気を吹付ける吹付手段と、角膜にアライメント光束をノズル軸を介して投影するアライメント投影手段と、前眼部像を撮影する撮影手段と、前記前眼部像を記憶する記憶手段と、該記憶手段による前記前眼部像から被検眼と装置のアライメント状態を検出する検出手段と、角膜に空気を吹付ける直前に前記前眼部像を前記記憶手段に記憶するタイミング制御手段と、眼圧値を測定する測定手段と、該測定手段による測定結果を基に記憶された前記前眼部像を表示する表示手段とを有することを特徴とする非接触眼圧計。
【請求項２】
前記測定結果はエラーであることを特徴とする請求項１に記載の非接触眼圧計。
【請求項３】
前記測定結果が所定眼圧値以上であることを特徴とする請求項１に記載の非接触眼圧計。
【請求項４】
前記表示手段は、適正アライメント位置を示す視標を共に表示することを特徴とする請求項１に記載の非接触眼圧計。
【請求項５】
前記記憶手段は動画を記録する手段であり、前記表示手段は前記動画をスロー再生することを含むことを特徴とする請求項１に記載の非接触眼圧計。
【請求項６】
前記表示手段は記憶された前記前眼部像を表示画面の一部に表示させることを特徴とする請求項１に記載の非接触眼圧計。
【請求項７】
前記表示手段は表示された前記前眼部像を所定時間後に消去することを特徴とする請求項１に記載の非接触眼圧計。
【請求項８】
前記表示手段は表示された前記前眼部像を操作パネルのスイッチで消去することを特徴とする請求項１に記載の非接触眼圧計。
【請求項９】
前記表示手段は前記検出手段による被検眼と装置の適正アライメント位置からのずれ量を、記憶された前記前眼部像と共に表示することを特徴とする請求項４に記載の非接触眼圧計。
【発明の詳細な説明】
【０００１】
【発明の属する技術分野】
本発明は、被検眼に空気を吹付け、角膜を変形させたときの光学的検知手段により眼圧値を算出する非接触眼圧計に関するものである。
【０００２】
【従来の技術】
非接触眼圧計はバーナード・グロールマン氏が開発した米国特許Ｐ３５８５８４９号の空気吹付けタイプの眼圧計に代表されている。これは被検眼の角膜から１１ｍｍ離れたノズルから空気を吹付け、角膜の圧平を光学的に検出し、圧平までの時間をゴールドマンタイプの眼圧計で校正して眼圧値を算出している。圧平の大きさはゴールドマンタイプの原理を利用して、正確な測定値が得られるようになっている。
【０００３】
このような非接触眼圧計が開発されてから既に３０年近く経ち、多くの改良された眼圧計が提案されている。特に、被検眼と空気吹付けノズルとのアライメントは、測定値誤差への要因が大きく、近年では被検眼に光束を投影し、その反射光を受光して被検眼とのアライメントを自動位置合わせし、位置ずれ１／１０μｍ単位で位置合わせができる眼圧計が提案されている。
【０００４】
しかしながら、被検眼は常に静止を保っているわけではなく、空気の吹付け直前に固視がずれたり瞬きすると、正確な測定値が得られず、測定エラーとなって再測定することになってしまう。非接触眼圧計では瞬時に測定するため、測定エラーしたときに被検眼が動いて測定できなかったのか、瞬きして測定できなかったのか分からない場合がある。
【０００５】
従来の技術としては、被検眼を観察して前眼部像を撮影し、撮影画像を記憶する眼科装置は、特開平６−１４２０５１号公報に知られている。この発明は測定中の前眼部像を記憶して、測定後に所定時間を表示させ、瞼やまつ毛による影響がないか、静止画像により確認するものである。
【０００６】
また、特許第３１０８２６１号公報は非接触眼圧計であり、被検眼の圧平中の前眼部像を確認して、眼圧測定の信頼性を検者が客観的に判断するものである。
【０００７】
【発明が解決しようとする課題】
しかしながら前述の特開平６−１４２０５１号公報は、実施例の記載から毎回測定終了時に静止画像が表示されることになる。実際に、病院内や人間ドックの検診で、被検眼が瞼やまつ毛が下がって測定の影響が生ずるのは、全被検眼に対して１割前後であり、残りの９割は通常に測定できる。一方、院内や人間ドックなどで患者の多い場合には、眼圧測定を迅速かつ正確に検眼させなければならない。
【０００８】
この場合に、静止画が毎回数秒間表示されていては、反対眼の位置合わせ操作を続けて行えず効率が悪い。また、静止画を確認する検者も９割近くの問題のない静止画を見せられ、残りの１割に注意がゆき届かず、瞼やまつ毛で影響のある静止画像を見落としてしまう虞れもある。
【０００９】
また、特許第３１０８２６１号公報は空気を吹付けられた角膜の圧平された状態での撮影結果を表示するものであるが、圧平された状態では、角膜に投影されたアライメント検出用投影光束は、その反射光束が前眼部観察の撮像素子に結像されず、被検眼との装置の位置ずれが微妙に判断できない。
【００１０】
実施例中には、空気噴射直前直後に撮影のタイミングを設定して、空気噴射直前の撮影画像で、角膜反射像と視標とのずれを目視確認することが記載されているが、そのずれ量が良いか悪いかの微妙な判断が分かり難い。眼圧測定後に、検者が表示された空気噴射直前直後の画像を確認し、アライメントずれが微妙にあることが分かっても、測定値が直前の測定結果と同じ測定値になった場合に、検者はどのように判断してよいのか迷ってしまうことになる。眼圧検査の効率はこのような迷いがあると悪くなってしまう。
【００１１】
本発明の目的は、上述の問題点を解消し、眼圧測定が正常になされたかどうかを容易に判断できる非接触眼圧計を提供することにある。
【００１２】
【課題を解決するための手段】
上記目的を達成するための請求項１に係る本発明は、角膜に空気を吹付ける吹付手段と、角膜にアライメント光束をノズル軸を介して投影するアライメント投影手段と、前眼部像を撮影する撮影手段と、前記前眼部像を記憶する記憶手段と、該記憶手段による前記前眼部像から被検眼と装置のアライメント状態を検出する検出手段と、角膜に空気を吹付ける直前に前記前眼部像を前記記憶手段に記憶するタイミング制御手段と、眼圧値を測定する測定手段と、該測定手段による測定結果を基に記憶された前記前眼部像を表示する表示手段とを有することを特徴とする非接触眼圧計である。
【００１３】
また、請求項２に係る本発明は、前記測定結果はエラーであることを特徴とする請求項１に記載の非接触眼圧計である。
【００１４】
請求項３に係る本発明は、前記測定結果が所定眼圧値以上であることを特徴とする請求項１に記載の非接触眼圧計である。
【００１５】
請求項４に係る本発明は、前記表示手段は、適正アライメント位置を示す視標を共に表示することを特徴とする請求項１に記載の非接触眼圧計である。
【００１６】
請求項５に係る本発明は、前記記憶手段は動画を記録する手段であり、前記表示手段は前記動画をスロー再生することを含むことを特徴とする請求項１に記載の非接触眼圧計である。
【００１７】
請求項６に係る本発明は、前記表示手段は記憶された前記前眼部像を表示画面の一部に表示させることを特徴とする請求項１に記載の非接触眼圧計である。
【００１８】
請求項７に係る本発明は、前記表示手段は表示された前記前眼部像を所定時間後に消去することを特徴とする請求項１に記載の非接触眼圧計である。
【００１９】
請求項８に係る本発明は、前記表示手段は表示された前記前眼部像を操作パネルのスイッチで消去することを特徴とする請求項１に記載の非接触眼圧計である。
【００２０】
請求項９に係る本発明は、前記表示手段は前記検出手段による被検眼と装置の適正アライメント位置からのずれ量を、記憶された前記前眼部像と共に表示することを特徴とする請求項４に記載の非接触眼圧計である。
【００２１】
【発明の実施の形態】
本発明を図示の実施の形態に基づいて詳細に説明する。
図１は非接触眼圧計の検者側から見た外観図、図２は被検眼側から見た外観図である。本体部１における検者が操作する面には、測定値や被検眼像などの表示や各種装置の設定を選択する液晶やＣＲＴから成るモニタ２と、その表示画面を操作するためや測定部をおおまかに被検眼に位置合わせするためのトラックボール３、ローラ４、プリンタ印字スイッチ５、測定開始スイッチ６が配置されている。
【００２２】
本体部１の上には測定部７が載置され、本体部１に対して上下・左右・前後方向に移動可能とされ、被検眼に対する位置合わせを行って眼圧値を測定することができるようになっている。測定部７は本体部１に対して、左右方向に９０ｍｍ、被検眼Ｅの前後方向に４０ｍｍ、上下方向に３０ｍｍの範囲で移動できるようにされている。測定部７の移動は特開平８−１２６６１１号公報のように電気制御で駆動するものや、測定部を可動台に搭載し、ジョイスティックを操作して同様に移動させるタイプでもよい。
【００２３】
本体部１の検者が操作する面の反対側には、顎受け８が設けられ、顎受け８には被検者の顔を乗せる顎台９が配置され、顎台上下動スイッチ１０により、顎台９を上下方向に移動させることができるようにされている。
【００２４】
図３は測定部７の光学系の構成図を示し、被検眼Ｅの角膜Ｅｃに対向して、平行平面ガラス２０と対物レンズ２１の中心軸上にノズル２２が配置され、その後方に空気室２３、観察窓２４、ダイクロイックミラー２５、プリズム絞り２６、結像レンズ２７、撮像素子２８が順次に配列されている。これらは被検眼Ｅに対する観察光学系の受光用光路及びアライメント検出用光路となっている。
【００２５】
平行平面ガラス２０、対物レンズ２１は対物鏡筒２９によって支持され、その外側には被検眼Ｅを照明する外眼照明光源３０ａ、３０ｂが配置されている。
【００２６】
ダイクロイックミラー２５の反射方向には、リレーレンズ３１、ハーフミラー３２、アパーチャ３３、受光素子３４が配置されている。なお、アパーチャ３３の位置は、所定変形時に後述する測定光源の角膜反射像が共役になる位置に配置され、受光素子３４と共に角膜Ｅｃが視軸方向に変形するときの変形検出受光光学系とされている。
【００２７】
ハーフミラー３２の入射方向には、ハーフミラー３５、投影レンズ３６、測定及び被検眼Ｅに対するアライメント兼用の近赤外ＬＥＤから成る測定用光源３７が配置され、ハーフミラー３５の入射方向には、被検者が固視するＬＥＤから成る固視用光源３８が配置されている。
【００２８】
また、空気室２３内にはその一部を構成するシリンダ３９にピストン４０が嵌合され、このピストン４０はソレノイド４２によって駆動されるようになっている。なお、空気室２３内には、内圧をモニタするための圧力センサ４３が配置されている。
【００２９】
図４は測定部７の位置合わせを電気制御で行う場合のシステム全体の電気ブロック回路図である。システム全体を制御するためのＭＰＵ５０は、プログラムを格納するＰＲＯＭ５０ａ、受光素子３４、撮像素子２８などの各種デバイスから得られたデータを演算する演算処理部５０ｂ、眼圧値を補正するためのデータが格納されたパラメータＰＲＯＭ５０ｃ、データの入出力を制御するＩ／Ｏ５０ｄなどから成っている。
【００３０】
ＭＰＵ５０のポートには、測定開始スイッチ６、プリンタ印字スイッチ５等が配置されたスイッチボード５１、測定部７をおおまかに被検眼Ｅに位置合わせするためのトラックボール３、ローラ４に内蔵のロータリエンコーダ、及び測定結果を印字するためのプリンタ５２が接続されている。
【００３１】
撮像素子２８で撮影された被検眼Ｅの前眼部像の映像信号は、Ａ／Ｄコンバータ５３によりデジタルデータを介して画像メモリ５４に格納され、更にＭＰＵ５０に接続されている。ＭＰＵ５０は画像メモリ５４に格納された画像を基に、被検眼Ｅの角膜反射像を抽出しアライメント検出を行う。撮像素子２８で撮影された前眼部像の映像信号は、キャラクタ発生装置５５からの信号と合成され、モニタ２上に前眼部像や測定値などが表示される。
【００３２】
また、撮像素子２８で受光された信号と、空気室２３の圧力センサ４３で検出された圧力信号は増幅され、Ａ／Ｄコンバータ５６によりデジタルデータに変換され、逐次にメモリ５７に格納され、ＭＰＵ５０はＡ／Ｄ変換された受光素子３４からの受光信号のピーク値を検出すると、Ａ／Ｄ変換された圧力センサ４３のデータを読み込んでメモリ５７に格納する。また、受光信号と圧力信号のデータは全てメモリ５７に格納する。
【００３３】
上下モータ５８、前後モータ５９、左右モータ６０、顎台駆動用モータ６１は、それぞれモータドライバ６２、６３、６４、６５を介して、ＭＰＵ５０からの指令により駆動される。また、ソレノイド４２は駆動回路６６を介してＭＰＵ５０の指令により駆動制御される。測定用光源３７、外眼照明光源３０ａ、３０ｂの出力は、Ｄ／Ａコンバータ６７に接続されており、ＭＰＵ５０からの指令により光量を変化させることができる。
【００３４】
測定に際しては、固視用光源３８を点灯して、被検眼Ｅにこの光源３８を固視させた状態で測定開始スイッチ６を押す。外眼照明光源３０ａ、３０ｂによる照明光の角膜反射像は、平行平面ガラス２０、対物レンズ２１、空気室２３、観察窓２４、ダイクロイックミラー２５、プリズム絞り２６、結像レンズ２７を経て撮像素子２８に至る。撮像素子２８により角膜反射像が抽出されると、適正位置に対するずれ量が算出され、このずれ分だけ位置合わせし直すオートアライメント制御により、対物鏡筒２９が角膜Ｅｃに対して適正位置に位置合わせされる。
【００３５】
同時に、ＭＰＵ５０はソレノイド４２を駆動し、空気室２３内の空気はソレノイド４２により押し上げられるピストン４０によって圧縮され、パルス状の空気としてノズル２２から被検眼Ｅの角膜Ｅｃに向けて噴出する。
【００３６】
測定用光源３７からの光束は、投影レンズ３６で平行光の変換され、ハーフミラー３２で折り曲げられ、リレーレンズ３１によりノズル２２内に一旦結像され、被検眼Ｅの角膜Ｅｃを照射する。角膜Ｅｃでの測定用光源３７の反射光束は、ノズル２２の外側の平行平面ガラス２０と対物レンズ２１を通り、ハーフミラー２５で反射され、ハーフミラー３２を透過し、受光素子３４によって光電変換され電気信号に変換される。この場合に、リレーレンズ３１は所定変形時にアパーチャ３３とほぼ同等の大きさの角膜反射像を結像するように設計されている。
【００３７】
図５は撮像素子２８の検出から適正位置に合わされたと判断されてから測定終了時までの受光素子３４の受光信号、圧力センサ４３の検出信号、ソレノイド４２の駆動信号及び画像メモリ５４の記録タイミング信号のタイムチャート図を示している。
【００３８】
図５の時点ｔ１は、適正位置に合わされたと判断され、ソレノイド４２が駆動開始を始めたタイミングである。従って、時点ｔ１からソレノイド４２が駆動しピストン４０がシリンダ３９を上昇し始めている。ピストン４０が所定量移動すると、空気室２３の圧力が上昇し始め、その開始始点が時点ｔ２である。空気室２３の圧力が上昇し始めるとノズル２２から空気が噴出し、時点ｔ３で角膜Ｅｃが変形し始める。角膜Ｅｃが変形し、所定変形時に受光素子３４の受光量は時点ｔ４で最大となる。
【００３９】
更に、変形が進んだ後に空気吹付力が弱くなると、角膜Ｅｃの変形が戻り、所定変形時に再び受光素子３４の受光量が増加して最後に小さくなる。圧力センサ４３の圧力信号は、角膜Ｅｃの所定の変形後に最大になるような山形状になっている。ソレノイド４２の駆動信号は、角膜Ｅｃの所定変形時、つまり時点ｔ４で駆動電流を停止することにより、変形検出後の余分な空気吹付けを軽減させている。
【００４０】
このソレノイド４２の駆動時間Ｔｄｅｆは約２０ｍ秒程度であり、また画像取込信号はＴｆ＝１６．７ｍ秒のフレームごとに画像を取り込んでいる。ソレノイド４２の駆動信号は、時間Ｔｆをできるだけ変形検出直前にするため、取込終了時が時点ｔ２になるように、若干の遅延時間ΔＴｆをかけて、ＡＤ変換するようにされている。
【００４１】
このように、タイミング制御されて取り込まれた前眼部画像は、画像メモリ５４に記憶される。また、受光信号と圧力信号は時点ｔ２からＡ／Ｄコンバータ５６でＡＤ変換され、変換されたデータは２フレーム分の長さのデータをメモリ５７に記憶される。
【００４２】
図６は撮像素子２８に取り込まれた画像データの処理の流れを示したブロック図である。オートアライメント時には、フレーム毎にＡＤ変換された画像が、画像メモリ５４内のメモリ領域１（Ｍ１）、メモリ領域２（Ｍ２）、メモリ領域１（Ｍ１）、メモリ領域２（Ｍ２）と順次に繰り返して、上書き記憶されるようになっている。取り込まれる間隔は、フレーム間隔の約１７ｍ秒である。各メモリ領域に記憶された画像はＭＰＵ５０によって、瞳孔検出時には瞳孔抽出及び位置検出の処理が行われ、角膜反射輝点の検出時には、輝点抽出及び位置検出の処理が行われる。この処理時間は約１７ｍ秒よりも短い時間で処理できるようになっているので、前眼部像の映像はビデオレートで連続処理が可能になっている。
【００４３】
図５の時点ｔ１〜ｔ２のフレームが取り込まれると、メモリ領域３（Ｍ３）へ画像が移される。測定後に、メモリ５７に取り込まれた受光信号と圧力信号により測定結果が算出され、正常に測定がなされた場合には、メモリ領域３（Ｍ３）の画像データはそのまま保持され、次回の測定時に上書きできるようになっている。また、測定が正しくできなかった場合には、メモリ領域３（Ｍ３）の画像に角膜反射輝点が抽出できたかがチェックされる。
【００４４】
１つ前のフレームで輝点が抽出できたのに、このフレームで輝点の抽出できなかった場合には、瞼によって角膜反射光がけられたとして、瞬きエラーと判断する。また、角膜反射輝点が抽出されれば、その画像データはキャラクタ発生装置５５のキャラクタ発生部６８で適正アライメント位置の視標を発生させ、メモリ領域３（Ｍ３）の画像データと混合して、画像をＤＡ変換部６９でアナログ映像信号に変換されてモニタ２に表示させる。
【００４５】
このように、測定結果の表示判断は図７に示すフローチャート図に従って行われる。オートアライメントが完了し、ソレノイド４２が駆動され、ノズル２２から空気が角膜Ｅｃに吹付けられる一連の眼圧測定動作であるステップＳ１が行われると、ステップＳ２でメモリ５７の圧力信号、受光信号の取込処理が行われる。次の判断ステップＳ３では、所定の判断条件で測定値が得られたかどうかの判断が行われる。判断ステップＳ３で測定値が得られたと判断されるとステップＳ４に移り、測定値は眼圧値に換算されモニタ２に眼圧値が表示される。
【００４６】
判断ステップＳ３で、測定値が得られなかったと判断されるとステップＳ５に移り、メモリ領域１又はメモリ領域２からメモリ領域３に画像を移す処理が行われる。判断ステップＳ６で、メモリ領域３から角膜輝点の抽出がなされたかどうかが判断され、抽出できなかった場合は１つ前の画像をメモリ領域２又はメモリ領域１つまりアライメントＯＫと判断された画像から輝点抽出の確認を行い、瞬きがあったと判断されステップＳ７に移行する。
【００４７】
ステップＳ７では、キャラクタ発生部６８でＢＬＫの文字を発生させて測定値の結果欄とし、図８に示すようにモニタ２に、リアルタイム映像信号に混合してＢＬＩＮＫエラーを表示させる。また、判断ステップＳ６で角膜輝点の抽出があったと判断されると、ステップＳ８でメモリ領域３の画像を後述するようにモニタ２に表示させる。
【００４８】
図９はメモリ領域３の画像データとキャラクタ発生装置５５のキャラクタ発生部６８において、適正アライメント位置の視標を混合した画像である。瞳孔中心に映出されている十字線はアライメント位置視標である。図９（ａ）を確認することによって、検者は測定の瞬間に被検眼Ｅが動いて右側に少しずれて測定したため測定エラーになったと判断できる。また、図９（ｂ）を見ることによって、被検眼Ｅが前後方向に動いたことが判断できる。更に、図９（ｃ）では瞼がかかって測定エラーになったことが判断できる。なお、図９（ｄ）が正しい測定位置である。
【００４９】
図１０はモニタ２に複数画像を表示した説明図である。このように、メモリ領域３の画像データを表示画面全体に表示するのではなく、一部に表示するようにしたのは、眼圧計の場合にはノズル２２と角膜Ｅｃの頂点の作動距離が１１ｍｍ程度と短いため、リアルタイムの映像を隠して画面全面に画像を表示すると、装置が被検眼Ｅに接触しそうになることを見逃す可能性があるので、安全性を配慮した表示方法である。
【００５０】
上述した実施の形態では、画像メモリ５４は３つのメモリ領域に分けたが、２つのメモリ領域でも実施可能である。これは眼圧測定の場合に眼圧測定直前の画像データが１回の測定の最後のデータになるため、例えばメモリ領域２に直前の画像データを記憶保持し、その１つ前のフレームはアライメント完了と判断した次の画像データであり、アライメント完了かどうか、このフレーム中に判断しているため、この画像データをメモリ領域１に記憶保持することによって可能となる。
【００５１】
この保持された画像データは測定結果後に、次の測定に入る左右切換え動作やプリントスイッチのオン、スタートスイッチのオンのタイミングで消去したり、また測定結果後の次のアライメントで上書きしてもよい。
【００５２】
図１１は図６の変形図であり、動画記憶の場合にはメモリ領域３をより多くのフレーム画像が蓄積できるメモリ領域４になっている。アライメント完了と判断されたフレームの次のフレームと、測定直前のフレームとを順次にメモリ領域４に送り、測定直前のフレームから４〜５フレーム、約２秒弱分の画像データである合計６〜７フレームをメモリ領域４に記憶させることになる。
【００５３】
前述した図７に示すフローチャート図のように、測定結果の表示を判断させて直前画像の表示に至った場合には、メモリ領域４の各フレームの画像データは、各フレームを３回ずつビデオレートに合わせて、リアルタイム画像に混合して表示するように、Ｄ／Ａ変換部６９’によって制御される。
【００５４】
即ち、アライメント完了と判断した次のフレームを３フレーム表示し、その次の測定直前のフレームを３フレーム表示し、その次の測定中のフレームを３フレームと順次に混合してゆく。従って、スロー再生画像は約５〜６秒の長さの合計で１８〜２１フレームのスロー再生画面が、図１２に示すようにモニタ２の右上の小画面部分に表示されるようになる。
【００５５】
この場合にスロー再生の専用スイッチを顎台上下動スイッチ１０の近傍に配置して、次の測定まで繰り返し確認することができる。また、スロー再生を中断すべき場合には、スロー再生の専用スイッチ以外の何れかのスイッチを触ると、中断できるようになっている。
【００５６】
また、図１２は正常な状態のモニタ２の表示状態、図１３は測定エラーが発生した場合のモニタ２の表示状態を示した説明図である。小画面は静止画であるが、中央のメッセージに隠れた画像はリアルタイムの画像である。（ａ）は被検眼が動いたことを検者に知らせることを目的とし、（ｂ）は動いたずれ量を小画面内に表示し、（ｃ）は瞼が下がってエラーになった場合の表示例を示している。
【００５７】
更に、表示された静止画の提示から通常の画面に戻る時間は、５〜６秒の所定時間に設定されている。また、それよりも早く解除したい場合には、検者が操作するトラックボール３、ローラ４、プリンタ印字スイッチ５、測定開始スイッチ６などの各スイッチにより解除することができる。
【００５８】
なお、測定エラーがない測定値が得られた場合でも、静止画像を表示することが好ましい場合がある。被検者のまつ毛には個人差があり、眼圧測定する場合にまつ毛が或る程度かかっても、測定値に問題がない場合もあるが、中にはまつ毛がかかることによって、５〜８ｍｍＨｇ以上測定値が高くなることがある。非接触眼圧計は通常では、スクリーニング用として１８ｍｍＨｇ以上の場合は精密眼圧測定や眼底検査を受けることになる。
【００５９】
しかし、まつ毛の影響で眼圧が高く、緑内障患者として上述した検査を受けることは、患者にとっても医療機関にとっても負担が大きくなる。従って、眼圧が高い場合には先ず測定直前の画像を表示し、まつ毛がかかっているか確認するようにするとよい。
【００６０】
画像の取り込みは図６のブロック図の場合と同様に行われる。メモリ５７の圧力信号と受光信号から眼圧値が算出され、測定眼圧値ＩＯＰが１８ｍｍＨｇ以上であれば、図１４に示すように画面表示される。図１５はその表示制御のフローチャート図であり、図７に示すフローチャート図の変形図である。図１５に示すフローチャート図において、判断ステップＳ３で測定値が得られると、予め設定されていた基準値１８ｍｍＨｇ以上であるかが、判断ステップＳ１０で判断され、１８ｍｍＨｇ以上であればステップＳ８に移り、図１４に示すように表示される。
【００６１】
仮に、１８ｍｍＨｇ以下であればステップＳ４に移り、モニタ２には通常通りに眼圧値が表示されるようになっている。上述した基準値１８ｍｍＨｇは、個々の医療機関で選択できるように、デフォルト値を１７ｍｍＨｇや２０ｍｍＨｇに変えることもできる。
【００６２】
また、この静止画像は片眼を複数回測定する場合は、最初の１回のみの設定にすることが好ましい。これは毎回表示されると、検査効率が悪くなることと、まつ毛の確認であれば最初の１回で確認できるためである。更に、この静止画像の表示を解除する場合には、前述と同様に何れかのスイッチや操作部に触れるか、所定時間経過すると解除される。
【００６３】
【発明の効果】
以上説明したように本発明に係る非接触眼圧計は、測定結果が得られなかったときに被検者にそのエラー原因を示せるので、例えば固視がずれた場合は次回の測定時に固視標に注目するように検者が促したり、瞼が下がっている場合は次回の測定時に瞼の介助を行って測定することが可能であり、次の測定で確実に測定ができる。
【００６４】
また、従来例に比べて必要な場合にのみエラーを表示するので、検査効率を損わないようにでき、より詳しく確認するための動画のスロー再生は検者にとって分かり易く、更には基準眼圧値値を超えた場合には、被検眼のまつ毛の影響がないかを確認できるようにすることができる。
【図面の簡単な説明】
【図１】非接触眼圧計の検者側から見た外観図である。
【図２】被検眼側から見た外観図である。
【図３】光学系の構成図である。
【図４】システム全体の電気ブロック回路図である。
【図５】各種信号の取り込みタイミングチャート図である。
【図６】画像データの処理の流れのブロック図である。
【図７】画像表示の判断フローチャート図である。
【図８】ＢＬＩＮＫエラー表示画面の説明図である。
【図９】静止画像表示の説明図である。
【図１０】合成画像表示の説明図である。
【図１１】動画画像データの処理の流れのブロック図である。
【図１２】動画画像表示の説明図である。
【図１３】測定エラー時表示の説明図である。
【図１４】基準眼圧値を超えた静止画像の説明図である。
【図１５】基準眼圧値を超えた場合のフローチャート図である。
【符号の説明】
１　本体部
２　モニタ
２１　対物レンズ
２２　ノズル
２３　空気室
２８　撮像素子
３４　受光素子
３７　測定用光源
３８　固視用光源
４３　圧力センサ
５０　ＭＰＵ
Ｍ１〜Ｍ４　メモリ領域
【図１】
2004105368.tif 000003
【図２】
2004105368.tif 000004
【図３】
2004105368.tif 000005
【図４】
2004105368.tif 000006
【図５】
2004105368.tif 000007
【図６】
2004105368.tif 000008
【図７】
2004105368.tif 000009
【図８】
2004105368.tif 000010
【図９】
2004105368.tif 000011
【図１０】
2004105368.tif 000012
【図１１】
2004105368.tif 000013
【図１２】
2004105368.tif 000014
【図１３】
2004105368.tif 000015
【図１４】
2004105368.tif 000016
【図１５】
2004105368.tif 000017